(57)【要約】【課題】  ガスクーラで熱交換した排気を滞らせず外部に排出して、圧縮機の過負荷や運転電力の増加を抑え、圧縮機の耐久性を向上した冷媒装置の提供。【解決手段】  内部に収納空間２を設けた断熱性函体３と、断熱性函体３の下方に、ユニットベース４の上に圧縮機５、ガスクーラ６、絞り手段および断熱ケース７中に収納した蒸発器８を配置して冷凍回路を形成した冷凍ユニット９を装着した冷媒装置１であって、ガスクーラ６で熱交換した空気が断熱ケース７Ａの方向に向かうようにガスクーラ６と断熱ケース７Ａを配置するとともに、ユニットベース４と断熱ケース７Ａとの間に空気通路Ｔを設け、ガスクーラ６で熱交換した空気が空気通路Ｔを通って外部に容易に排出されるようにした。【選択図】  図１
2005221206.tif 000002
【特許請求の範囲】
【請求項１】
内部に収納空間を設けた断熱性函体と、前記断熱性函体の下方に、ユニットベースの上に圧縮機、ガスクーラ、絞り手段および断熱ケース中に収納した蒸発器を配置し、前記圧縮機、ガスクーラ、絞り手段および蒸発器を順次接続して冷凍回路を形成した冷凍ユニットを装着した冷媒装置であって、
前記ガスクーラで熱交換した空気が前記断熱ケースの方向に向かうように前記ガスクーラと断熱ケースを配置するとともに、前記ユニットベースと前記断熱ケースとの間に空気通路を設け、前記ガスクーラで熱交換した空気が前記空気通路を通って外部に排出されることを特徴とする冷媒装置。
【請求項２】
前記ガスクーラで熱交換した空気の大部分が通る前記空気通路の部分に対応する前記ユニットベースの箇所に少なくとも１つの排気通路を設け、前記ガスクーラで熱交換した空気が前記排気通路を通って外部に排出されることを特徴とする請求項１記載の冷媒装置。
【請求項３】
前記冷凍ユニットが脱着・装着可能に構成されていることを特徴とする請求項１あるいは請求項２記載の冷媒装置。
【請求項４】
高圧側が超臨界圧力となる二酸化炭素を冷媒とし、前記圧縮機として２段圧縮式ロータリ圧縮機を用いたことを特徴とする請求項１から請求項３のいずれかに記載の冷媒装置。
【発明の詳細な説明】
【技術分野】
【０００１】
本発明は、自動販売機、ショウケースなどに適用可能な冷媒装置に関するものであり、さらに詳しくは、収納空間を設けた断熱性函体と、この断熱性函体の下方に、ユニットベースの上に圧縮機、ガスクーラ、絞り手段および蒸発器を配置した冷凍ユニットを装着した冷媒装置に関するものである。
【背景技術】
【０００２】
図７は従来の冷媒装置の断面説明図である。従来の冷媒装置１Ａ（ショウケースの例）は内部に収納空間２を設けた断熱性函体３と、断熱性函体３の下方に、ユニットベース４の上に圧縮機５、ガスクーラ６、図示しない絞り手段を配置し、さらにユニットベース４の上に接して装着した断熱ケース７中に蒸発器８を収納して配置し、圧縮機５、ガスクーラ６、図示しない絞り手段および蒸発器８を順次接続して冷凍回路を形成した冷凍ユニット９を装着して構成されている（例えば、特許文献１、特許文献２、特許文献３参照）。図中、１７はガスクーラ６用のファン、１８は蒸発器８用のファン、１９は物品を収納するための収納棚、９Ａは排気口を示す。
冷媒装置１Ａを作動すると、圧縮機５で圧縮され、吐出された冷媒ガスはガスクーラ６に流入し、そこでファン１７により外部の空気が矢印で示したように導入され空冷方式により放熱する。放熱した冷媒は図示しない内部熱交換器を通過し、冷媒ガスはそこで低圧側の冷媒に熱を奪われて更に冷却され、冷却された高圧側の冷媒ガスは図示しない膨張弁（絞り手段）に至り、圧力調整されて圧力低下して、ガス／液体の二相混合体とされ、その状態で蒸発器８内に流入し、そこで冷媒は蒸発し、空気から吸熱することにより冷却作用を発揮し、冷却された空気はファン１８により矢印で示したように（あるいは矢印の逆方向に）断熱性函体３の収納空間２に導入され循環される。
その後、冷媒は蒸発器８から流出して、図示しない内部熱交換器を通過して、前記高圧側の冷媒から熱を奪い、加熱作用を受け、冷媒は完全に気体の状態となり、気体の状態となった冷媒は圧縮機６に吸い込まれるサイクルを繰り返すようになっている。
【０００３】
従来、冷凍サイクルには、冷媒としてフロン（Ｒ１１、Ｒ１２、Ｒ１３４ａなど）が一般的に用いられていた。しかしながら、フロンは大気中に放出されると大きな温暖化効果やオゾン層破壊などの問題を有している。このため、近年、環境に与える影響の少ない他の自然冷媒、例えば、酸素（Ｏ2 ）、二酸化炭素（ＣＯ2 ）、ハイドロカーボン（ＨＣ）、アンモニア（ＮＨ3 ）、水（Ｈ2 Ｏ）を冷媒として用いる研究が行われている。これら自然冷媒の内、酸素と水は、圧力が低くて冷凍サイクルの冷媒としては用いることが困難であり、アンモニアやハイドロカーボンは可燃性であるため、取り扱いが難しい問題がある。このため、二酸化炭素（ＣＯ2 ）を冷媒として用い、高圧側を超臨界圧力として運転する遷臨界冷媒サイクルを用いた装置が開発されてきている（特許文献４、特許文献５参照）。
【特許文献１】特開平１０−９６５３２号公報
【特許文献２】特開２００３−５６９６９
【特許文献３】特開２００３−６５６５１
【特許文献４】特開平１０−１９４０１号公報
【特許文献５】特公平７−１８６０２号公報
【発明の開示】
【発明が解決しようとする課題】
【０００４】
しかし、従来の冷媒装置１Ａは、ガスクーラ６で熱交換した排気は断熱ケース７の方向に向かい、断熱ケース７に当たった後、断熱ケース７の周りを回って断熱ケース７の後方に流れて冷凍ユニット９の後部に設けた排気口９Ａから外部に排出されるようになってるので、ガスクーラ６で熱交換した排気の気流が断熱ケース７により妨げられ、ガスクーラ６の周囲に気流が滞り熱が逃げなくなるので、ガスクーラ６における冷媒ガスの空冷が不十分になり運転圧力が上昇し、その結果、圧縮機５が過負荷状態になり、運転電力が増加したり、保護装置が作動して停止したり、また圧縮機５の耐久性に悪影響がでて寿命が短くなるなどの問題があった。
【０００５】
また、二酸化炭素を冷媒として用いた場合、冷媒圧力は高圧側で約１３０〜１５０ｋｇ／ｃｍ2 Ｇにも達し、低圧側では約３０〜４０ｋｇ／ｃｍ2 Ｇとなるように、二酸化炭素を冷媒として用いる冷凍サイクルでは、フロンに比較して冷媒圧力が高く冷媒温度も高くなり、特に１段圧縮式圧縮機を用いると各摺動部材に高圧側部分と低圧側部分が隣接する箇所が生じ、その差圧が大きいため、摺動ロスやリークロスが発生し易くなるとともに、ガスクーラにおける冷媒ガスの空冷がより一層不十分になるという問題があった。
【０００６】
本発明の目的は、従来の諸問題を解決して、ガスクーラで熱交換した排気を滞らせずよく流れるようにして、ガスクーラにおいて冷媒ガスを十分に冷却し、圧縮機が過負荷状態になったり運転電力が増加したりせず、圧縮機の耐久性を向上でき、また二酸化炭素を冷媒として用いても摺動ロスやリークロスの発生やガスクーラにおける冷媒ガスの空冷不足を極力抑えることができる冷媒装置を提供することである。
【課題を解決するための手段】
【０００７】
前記課題を解決するための本発明の請求項１記載の冷媒装置は、内部に収納空間を設けた断熱性函体と、前記断熱性函体の下方に、ユニットベースの上に圧縮機、ガスクーラ、絞り手段および断熱ケース中に収納した蒸発器を配置し、前記圧縮機、ガスクーラ、絞り手段および蒸発器を順次接続して冷凍回路を形成した冷凍ユニットを装着した冷媒装置であって、
前記ガスクーラで熱交換した空気が前記断熱ケースの方向に向かうように前記ガスクーラと断熱ケースを配置するとともに、前記ユニットベースと前記断熱ケースとの間に空気通路を設け、前記ガスクーラで熱交換した空気が前記空気通路を通って外部に排出されることを特徴とする。
【０００８】
本発明の請求項２記載の冷媒装置は、請求項１記載の冷媒装置において、前記ガスクーラで熱交換した空気の大部分が通る前記空気通路の部分に対応する前記ユニットベースの箇所に少なくとも１つの排気通路を設け、前記ガスクーラで熱交換した空気が前記排気通路を通って外部に排出されることを特徴とする。
【０００９】
本発明の請求項３記載の冷媒装置は、請求項１あるいは請求項２記載の冷媒装置において、前記冷凍ユニットが脱着・装着可能に構成されていることを特徴とする。
【００１０】
本発明の請求項４記載の冷媒装置は、請求項１から請求項３のいずれかに記載の冷媒装置において、高圧側が超臨界圧力となる二酸化炭素を冷媒とし、前記圧縮機として２段圧縮式ロータリ圧縮機を用いたことを特徴とする。
【発明の効果】
【００１１】
本発明の請求項１記載の冷媒装置は、内部に収納空間を設けた断熱性函体と、前記断熱性函体の下方に、ユニットベースの上に圧縮機、ガスクーラ、絞り手段および断熱ケース中に収納した蒸発器を配置し、前記圧縮機、ガスクーラ、絞り手段および蒸発器を順次接続して冷凍回路を形成した冷凍ユニットを装着した冷媒装置であって、
前記ガスクーラで熱交換した空気が前記断熱ケースの方向に向かうように前記ガスクーラと断熱ケースを配置するとともに、前記ユニットベースと前記断熱ケースとの間に空気通路を設け、前記ガスクーラで熱交換した空気が前記空気通路を通って外部に排出されるようにしたので、ガスクーラで熱交換した排気を滞らせずよく流して排出でき、ガスクーラにおいて冷媒ガスを十分に冷却することができ、圧縮機が過負荷状態になったり運転電力が増加したりせず、圧縮機の耐久性を向上できる、という顕著な効果を奏する。
【００１２】
本発明の請求項２記載の冷媒装置は、請求項１記載の冷媒装置において、前記ガスクーラで熱交換した空気の大部分が通る前記空気通路の部分に対応する前記ユニットベースの箇所に少なくとも１つの排気通路を設け、前記ガスクーラで熱交換した空気が前記排気通路を通って外部に排出されることを特徴とするものであり、ガスクーラで熱交換した排気を滞らせず一層よく流して排出できる、というさらなる顕著な効果を奏する。
【００１３】
本発明の請求項３記載の冷媒装置は、請求項１あるいは請求項２記載の冷媒装置において、前記冷凍ユニットが脱着・装着可能に構成されていることを特徴とするものであり、断熱性函体に冷凍ユニットを容易に装着したり、脱着したりできるので、例えば、他社で作成した断熱性函体に自社で作成した冷凍ユニットを装着して組み立てて本発明の冷媒装置を製造したり、本発明の冷媒装置から冷凍ユニットを脱着し、修理などした後に再び冷凍ユニットを装着して組み立てることもできるなどの、さらなる顕著な効果を奏する。。
【００１４】
本発明の請求項４記載の冷媒装置は、請求項１から請求項３のいずれかに記載の冷媒装置において、高圧側が超臨界圧力となる二酸化炭素を冷媒とし、前記圧縮機として２段圧縮式ロータリ圧縮機を用いたことを特徴とするものであり、二酸化炭素を冷媒とし、前記圧縮機として２段圧縮式ロータリ圧縮機を用いたことを特徴とするものであり、二酸化炭素を冷媒として用いた場合、冷媒圧力は高圧側で約１３０〜１５０ｋｇ／ｃｍ2 Ｇにも達し、低圧側では約３０〜４０ｋｇ／ｃｍ2 Ｇとなるが、各摺動部材における差圧が約１／２と小さくなって面圧が低下し油膜が確保されるので、摺動ロスやリークロスの発生を極力抑えることができる、というさらなる顕著な効果を奏する。
【発明を実施するための最良の形態】
【００１５】
以下、図面により本発明の実施の形態を詳細に説明する。
（第１実施形態）
図１は、本発明の冷媒装置の一実施の形態を説明する断面説明図である。
図２は、本発明の冷媒装置の冷凍回路図である。
図３は、図２の冷媒回路のｐ−ｈ線図である。
なお、本発明の冷媒装置は、自販機、冷蔵庫、ショーケースなどに使用されるものである。
本発明の冷媒装置１（ショウケース）は内部に収納空間２を設けた断熱性函体３と、断熱性函体３の下方に、ユニットベース４の上に圧縮機５、ガスクーラ６、内部熱交換器１６０、絞り手段１５６を配置し、さらにユニットベース４の上に間隔を置いて複数の支柱７Ｂを固定して設け、支柱７Ｂの上に断熱ケース７Ａを設置し、断熱ケース７Ａ中に蒸発器８を収納して配置し、そしてガスクーラ６で熱交換した排気は断熱ケース７Ａの方向に向かうように配置してあり、圧縮機５、ガスクーラ６、内部熱交換器１６０、絞り手段１５６および蒸発器８を順次接続して冷凍回路を形成した冷凍ユニット９を装着して構成されている。
図中、１７はガスクーラ６用のファン、１８は蒸発器８用のファン、１９は物品を収納するための収納棚、９Ａは排気口を示す。
ユニットベース４の上に間隔を置いて複数の支柱７Ｂを固定して設け、支柱７Ｂの上に断熱ケース７Ａを設置したので、ユニットベース４と断熱ケース７Ａとの間に空気通路Ｔが形成される。
【００１６】
図２において、５は内部中間圧型多段（２段）圧縮式ロータリコンプレッサを示しており、密閉容器１２内の電動要素１４とこの電動要素１４の回転軸１６で駆動される下段の回転圧縮要素３２および上段の回転圧縮要素３４を備えて構成されている。コンプレッサ５は冷媒導入管９４から吸い込まれた冷媒ガスを下段の回転圧縮要素３２で圧縮して密閉容器１２内に吐出し、この密閉容器１２内の中間圧の冷媒ガスを冷媒導入管９２から一旦中間冷却回路１５０Ａに吐出する。  中間冷却回路１５０Ａは冷媒ガスが中間冷却用熱交換器１５０Ｂを通過するように設けられており、そこで、冷媒ガスは空冷され、冷媒導入管９２から上段の回転圧縮要素３４に吸い込まれて圧縮される。２段目の圧縮にて高圧となった冷媒ガスは、冷媒吐出管９６から吐出され、ガスクーラ６で空冷される。このガスクーラ６から出た冷媒は内部熱交換器１６０にて蒸発器８を出た冷媒と熱交換した後、絞り手段１５６を経て蒸発器８に入り、蒸発した後、再度内部熱交換器１６０を経て冷媒導入管９４から下段の回転圧縮要素３２に吸い込まれる。
【００１７】
この場合の動作を図３のｐ−ｈ線図を参照して説明する。下段の回転圧縮要素３２で圧縮されて（エンタルピーをΔｈ３得て）中間圧となり、密閉容器１２内に吐出された冷媒は（図３の２の状態）、冷媒導入管９２から出て中間冷却回路１５０Ａに流入する。そして、この中間冷却回路１５０Ａが通過する中間冷却用熱交換器１５０Ｂに流入し、そこで空冷方式により放熱される（図３の３の状態）。ここで中間圧の冷媒は中間冷却用熱交換器１５０Ｂにて図３に示すようにエンタルピーをΔｈ１失う。
その後、上段の回転圧縮要素３４に吸い込まれて２段目の圧縮が行われて高圧高温の冷媒ガスとなり、冷媒吐出管９６より外部に吐出される。このとき、冷媒は適切な超臨界圧力まで圧縮されている（図３の４の状態）。
【００１８】
冷媒吐出管９６から吐出された冷媒ガスはガスクーラ６に流入し、そこで、空冷方式により放熱された後（図３の５’の状態）、内部熱交換器１６０を通過する。冷媒はそこで低圧側の冷媒に熱を奪われて更に冷却される（図３の５の状態）（エンタルピーをΔｈ２失う）。その後冷媒は絞り手段１５６にて減圧され、その過程でガス／液混合状態となり（図３の６の状態。）、次に、蒸発器６に流入して蒸発する（図３の１’の状態）。蒸発器６から出た冷媒は内部熱交換器１６０を通過し、そこで前記高圧側の冷媒から熱を奪って加熱される（図３の１の状態）（エンタルピーをΔｈ２得る）。
そして、内部熱交換器１６０で加熱され、冷媒は完全に気体の状態となり、気体の状態となった冷媒は冷媒導入管９４からロータリコンプレッサ５の下段の回転圧縮要素３２内に吸い込まれるサイクルを繰り返す。
【００１９】
二酸化炭素を冷媒として用いているが、前記のように内部中間圧型多段（２段）圧縮式ロータリ圧縮機５を用いたので各摺動部材における差圧が約１／２と小さくなって面圧が低下し潤滑油の油膜が十分確保され、摺動ロスやリークロスの発生を極力抑えることができ、また潤滑油も１００℃以上の高温にならず、高いＣＯＰを得ることができる。
【００２０】
蒸発器８で蒸発した冷媒は、空気から吸熱することにより冷却作用を発揮し、冷却された空気はファン１８により矢印で示したように断熱性函体３の収納空間２に導入され循環される。
ガスクーラ６で熱交換した排気は矢印で示したように空気通路Ｔを通って排気口９Ａから外部に排出される。その結果、ガスクーラ６で熱交換した排気を停滞させずよく流して排出でき、ガスクーラ６において冷媒ガスを十分に冷却することができるので、圧縮機５が過負荷状態になったり運転電力が増加したりせず、圧縮機５の耐久性を向上できる。
【００２１】
（第２実施形態）
図４は、本発明の他の冷媒装置を説明する説明図である。
図４に示した本発明の冷媒装置１Ｂ（ショウケース）は、コの字型の枠部材２１、２２、２３および２４を図示したように組み合わせて冷凍ユニット９の骨格が形成されており、枠部材２２、２３および２４の所定の位置に断熱ケース７Ａを固定するための固定部材２２Ａ、２３Ａおよび２４Ａが設けられている。
一方、固定部材２２Ａ、２３Ａおよび２４Ａに対応する断熱ケース７Ａの箇所に固定部材２２Ｂ、２３Ｂおよび２４Ｂが設けられている。
断熱ケース７Ａの固定部材２２Ｂ、２３Ｂおよび２４Ｂを、固定部材２２Ａ、２３Ａおよび２４Ａに対応させて断熱ケース７Ａを前記骨格上に設置し、図示しない螺子などを用いて固定する。このようにしてユニットベース４と断熱ケース７Ａの底部との間に空気通路Ｔを形成した、以外は図１に示した本発明の冷媒装置１と同様になっている。
本発明の冷媒装置１Ｂは、本発明の冷媒装置１と同様の作用効果があるとともに、断熱ケース７Ａをこのようにして固定すれば容易に確実に固定したり、あるいは取り外したりできるとともに、運転中にずれたりしないので信頼性が向上する。
【００２２】
（第３実施形態）
図５は、本発明の他の冷媒装置の冷凍ユニットを説明する説明図である。
図５に示した本発明の冷媒装置の冷凍ユニット９は、ガスクーラ６で熱交換した排気の大部分が通る空気通路Ｔの部分に対応するユニットベース４の箇所に縦長の４本の排気通路２５が貫通して設けてあり、ガスクーラ６で熱交換した排気が排気通路２５を通って外部に排出されるようにした、以外は図１に示した本発明の冷媒装置１と同様になっている。
本発明の冷媒装置の冷凍ユニット９は、本発明の冷媒装置１の場合と同様の作用効果があるとともに、ガスクーラ６で熱交換した排気は停滞することなく、よりよく流れて排気通路２５および排出口９Ａを通って外部に排出できるので、ガスクーラ６において冷媒ガスを十分に冷却することができ、圧縮機５が過負荷状態になったり運転電力が増加したりせず、圧縮機５の耐久性を向上できる。
【００２３】
（第４実施形態）
図６は、本発明の他の冷媒装置を説明する説明図である。
図６に示した本発明の冷媒装置（ショウケース）１Ｃは、内部に収納空間２を設けた断熱性函体３と、断熱性函体３の下方に、箱体９Ｂの内部に出し入れ可能に収納されたユニットベース４の上に圧縮機５、ガスクーラ６、図示しない内部熱交換器および絞り手段を配置し、さらにユニットベース４の上に間隔を置いて複数の支柱７Ｂを固定して設け、支柱７Ｂの上に断熱ケース７Ａを固定して設置し、断熱ケース７Ａ中に蒸発器８を収納して配置し、そしてガスクーラ６で熱交換した排気が断熱ケース７Ａの方向に向かうように配置してあり、圧縮機５、ガスクーラ６、図示しない内部熱交換器および絞り手段および蒸発器８を順次接続して冷凍回路を形成して全体を内部に収納した前記箱体９Ｂを含む冷凍ユニット９を断熱性函体３の下方の所定箇所に固定して装着して構成されている、以外は図１、図５に示した本発明の冷媒装置と同様になっている。
ユニットベース４の上に間隔を置いて複数の支柱７Ｂを設け、支柱７Ｂの上に断熱ケース７Ａを固定して設置したので、ユニットベース４と断熱ケース７Ａとの間に空気通路Ｔが形成される。
【００２４】
ガスクーラ６で熱交換した排気は空気通路Ｔを通って排気口９Ａから外部に排出されるとともに、ユニットベース４に貫通して設けた排気通路２５および排気通路２５に対応する箱体９Ｂの位置に貫通して設けた排気口２５Ａから外部に排出される。その結果、ガスクーラ６で熱交換した排気を停滞させずよく流して外部に排出でき、ガスクーラ６において冷媒ガスを十分に冷却することができるので、圧縮機５が過負荷状態になったり運転電力が増加したりせず、圧縮機５の耐久性を向上できる。
９Ｃは箱体９Ｂの内側壁の所定箇所に設けたガイドレールであり、ユニットベース４の上に配置した圧縮機５、ガスクーラ６、断熱ケース７Ａなどの側に設けたガイドレール９Ｄがこのガイドレール９Ｃの中にスライドして出し入れ可能な状態に納められている。９Ｅはガイドレール９Ｄの前部端部に固定して設置したハンドルである。
本発明の冷媒装置１Ｃは、ハンドル９Ｅを手前に引くと、ユニットベース４の上に圧縮機５、ガスクーラ６、断熱ケース７Ａなどを配置したまま容易に引き出すことができる。部品の交換、修理などした後に再び元に戻して装着することができる。
図示しないが箱体９Ｂも断熱性函体３に容易に装着したり、脱着したりできるようにすることができる。他社で作成した断熱性函体３に自社で作成した冷凍ユニット９を装着して組み立てて本発明の冷媒装置１Ｃを製造したり、本発明の冷媒装置１Ｃから冷凍ユニット９を脱着し、修理などした後に再び冷凍ユニット９を装着して組み立てることもできる。
【００２５】
上記実施の形態の説明は、本発明を説明するためのものであって、特許請求の範囲に記載の発明を限定し、あるいは範囲を減縮するものではない。また、本発明の各部構成は上記実施の形態に限らず、特許請求の範囲に記載の技術的範囲内で例えば下記のような種々の変形が可能である。
【００２６】
上記説明においては２段圧縮式ロータリ圧縮機について説明したが、本発明は圧縮機の形式は特に限定されず、具体的には、レシプロ式圧縮機、振動式圧縮機、マルチベーン式ロータリ圧縮機、スクロール式圧縮機などであってもよく、また圧縮段数は少なくとも１段以上であればよい。
【００２７】
また上記説明においては蒸発器を出た冷媒を内部熱交換器を通過させて高圧側の冷媒と熱交換させることで完全に気体の状態とする例について説明したが、内部熱交換器を用いる代わりに蒸発器の出口側と圧縮機の吸込側との間の低圧側にレシーバタンクを配設してもよい。
【産業上の利用可能性】
【００２８】
本発明の冷媒装置は、内部に収納空間を設けた断熱性函体と、前記断熱性函体の下方に、ユニットベースの上に圧縮機、ガスクーラ、絞り手段および断熱ケース中に収納した蒸発器を配置し、前記圧縮機、ガスクーラ、絞り手段および蒸発器を順次接続して冷凍回路を形成した冷凍ユニットを装着した冷媒装置であって、前記ガスクーラで熱交換した空気が前記断熱ケースの方向に向かうように前記ガスクーラと断熱ケースを配置するとともに、前記ユニットベースと前記断熱ケースとの間に空気通路を設け、前記ガスクーラで熱交換した空気が前記空気通路を通って外部に排出されるようにしたので、ガスクーラで熱交換した排気を滞らせずよく流して外部に排出でき、ガスクーラにおいて冷媒ガスを十分に冷却することができ、圧縮機が過負荷状態になったり運転電力が増加したりせず、圧縮機の耐久性を向上できる、という顕著な効果を奏するので、産業上の利用価値が高い。
【図面の簡単な説明】
【００２９】
【図１】本発明の冷媒装置の一実施の形態を説明する断面説明図である。
【図２】本発明の冷媒装置の冷凍回路図である。
【図３】図２の冷媒回路のｐ−ｈ線図である。
【図４】本発明の他の冷媒装置を説明する説明図である。
【図５】本発明の他の冷媒装置の冷凍ユニットを説明する説明図である。
【図６】本発明の他の冷媒装置を説明する断面説明図である。
【図７】従来の冷媒装置を説明する断面説明図である。
【符号の説明】
【００３０】
１、１Ａ、１Ｂ、１Ｃ  冷媒装置
２  収納空間
３  断熱性函体
４  ユニットベース
５  圧縮機
６  ガスクーラ
１５６  絞り手段
１６０  内部熱交換器
７、７Ａ  断熱ケース
８  蒸発器
９  冷凍ユニット
２５  排気通路
Ｔ  空気通路
【図１】
2005221206.tif 000003
【図２】
2005221206.tif 000004
【図３】
2005221206.tif 000005
【図４】
2005221206.tif 000006
【図５】
2005221206.tif 000007
【図６】
2005221206.tif 000008
【図７】
2005221206.tif 000009